(57)【要約】　　　（修正有）【課題】主に小型携帯物品の蓋の解放がスムーズで自動的に開くようにすることによって、無理な蓋の解放に伴うヒンジ部の破損及び損傷を未然に防止し、使用の簡便性を確保できるダンパヒンジを提供する。【解決手段】外部ハウジング１の内部に解放部の方向の異なるスプリング支持キャップ２が一体に形成され、その内部には回転によるカム接触で移動するスライディングカム３が具備され、スプリング支持キャップ２と外部ハウジング１との間には一端がスライディングカム３に固定され、他側端は外部ハウジング１に固定された圧縮／トーションスプリング４が具備され、上記スプリング支持キャップ２の外側面と外部ハウジング１の内側面との間には内部ハウジング５が挿入され、上記スライディングカム３は調節ネジ６によって内部ハウジング５と連結され、内部ハウジング５はスプリング支持キャップ２と内部ハウジング５間の圧縮スプリング７によって弾力支持される。【選択図】　図２
2004116772.tif 000002
【特許請求の範囲】
【請求項１】
外部ハウジング１の内部に解放部の方向の異なるスプリング支持キャップ２が一体に形成され、上記スプリング支持キャップ２の内部には回転によるカム接触で移動するスライディングカム３が具備され、スプリング支持キャップ２と外部ハウジング１との間には一端がスライディングカム３に固定され、他側端は外部ハウジング１に固定された圧縮／トーションスプリング４が具備され、上記スプリング支持キャップ２の外側面と外部ハウジング１の内側面との間には内部ハウジング５が挿入され、上記スライディングカム３は内部ハウジング５及びスプリング支持キャップ２を貫通する調節ネジ６によって内部ハウジング５と連結され、内部ハウジング５はスプリング支持キャップ２と内部ハウジング５間の圧縮スプリング７によって弾力支持されるように構成したことを特徴とするダンパヒンジ。
【請求項２】
上記スライディングカム３の一側面にカム面３２を形成し、スプリング支持キャップ２の内側面には上記カム面３２に滑り接触されるカム駆動ピン２３を突出形成し、スライディングカム３が内部ハウジング５と共に回転することによって移動されるように構成したことを特徴とする請求項１に記載のダンパヒンジ。
【請求項３】
上記スプリング支持キャップ２の解放部に拡管部２１を形成し、上記拡管部２１によって内部ハウジング５の移動範囲を制限することができるように構成したことを特徴とする請求項１に記載のダンパヒンジ。
【発明の詳細な説明】
【０００１】
【発明の属する技術分野】
本発明は、ダンパヒンジに関するもので、より詳細には、主に小型携帯物品の蓋の解放がスムーズに自動的に開くようにすることによって、無理な蓋の解放に伴うヒンジ部の破損及び損傷を未然に防止しながら、使用の簡便性を確保することができるようにしたダンパヒンジに関するものである。
【０００２】
【従来の技術】
一般的に、コンパクトパウダーのような女性の化粧用品や携帯電話、ノートパソコンなどのような携帯物品の蓋は、単純ヒンジ結合によって物品の本体と結合され、ロッキング手段により閉状態が維持されるように構成されているもので、上記物品の蓋の開閉は、人がいちいち手で直接開けたり閉めたりするようになっていた。
【０００３】
従って、その使用が煩わしくて不便なだけでなく、無理に蓋を解放する場合、その力によって蓋のヒンジ部分が破損または損傷することによって、本来の機能を消失することになり、コンパクト、パウダーのような女性の化粧品の場合は、粉末の内容物の漏れにより物品の携帯使用が不可能であるという問題点があった。
【０００４】
【発明が解決しようとする課題】
そこで、本発明は、上記のような従来の諸般問題点を解消するために成されたもので、その目的は、主に小型携帯物品の蓋の解放がスムーズに自動的に開くようにすることによって、無理な蓋の解放によるヒンジ部の破損及び損傷を未然に防止しながら、使用の簡便性を確保できるようにすることにある。
【０００５】
【課題を解決するための手段】
このような本発明の目的を達成するために、外部ハウジングの内部に解放部の方向の異なるスプリング支持キャップが一体に形成され、上記スプリング支持キャップの内部には回転によるカム接触で移動するスライディングカムが具備され、スプリング支持キャップと外部ハウジングとの間には一端がスライディングカムに固定され、他側端は外部ハウジングに固定された圧縮／トーションスプリングが具備され、上記スプリング支持キャップの外側面と外部ハウジングの内側面との間には内部ハウジングが挿入され、上記スライディングカムは内部ハウジング及びスプリング支持キャップを貫通する調節ネジによって内部ハウジングと連結され、内部ハウジングはスプリング支持キャップと内部ハウジング間の圧縮スプリングによって弾力支持されるように構成したことを特徴とするダンパヒンジが提供される。
【０００６】
また、上記スライディングカムの一側面にカム面を形成し、スプリング支持キャップの内側面には上記カム面に滑り接触されるカム駆動ピンを突出形成し、スライディングカムが内部ハウジングと共に回転することによって移動されるように構成したことを特徴とする。
【０００７】
また、上記スプリング支持キャップの解放部に拡管部を形成し、上記拡管部によって内部ハウジングの移動範囲を制限することができるように構成したことを特徴とする。
【０００８】
【発明の実施の形態】
以下、添付の図面を参照に本発明の構成を実施例によって詳細に説明する。
【０００９】
図１は、本発明の全体的な構成を示す分解斜視図で、図２は、本発明の結合状態を示した断面図である。
【００１０】
ここに図示されているように、本発明は、一側に解放された円筒体から成った外部ハウジング１が具備され、上記外部ハウジング１の内部には外部ハウジング１の反対方向に解放部が形成された円筒形のスプリング支持キャップ２が通常の固定方式により一体に具備されるもので、上記スプリング支持キャップ２の内部には回転によるカム接触によりスプリング支持キャップ２の内部で前後進されるスライディングカム３が具備される。
【００１１】
また、上記スプリング支持キャップ２の内部には、一端がスライディングカム３に固定され、他側端は外部ハウジング１に固定され、上記スライディングカム３の回転及び移動による圧縮及び捻れを同時に受ける圧縮／トーションスプリング４が具備されるもので、上記圧縮／トーションスプリング４の他側端はスプリング固定体１０により外部ハウジング１に固定されるもので、上記スプリング固定体１０は、通常の回転防止手段、つまり、外部ハウジング１に掛かるようにするか、固定されるようにする手段によって、回転なしに圧縮／トーションスプリング４を固定することができるように構成される。
【００１２】
そして、上記スプリング支持キャップ２の外側面と外部ハウジング１の内側面との間には、スプリング支持キャップ２と同一方向の解放部を有する内部ハウジング５が回転及び移動が可能に挿入されるもので、上記内部ハウジング５は、内部ハウジング５及びスプリング支持キャップ２を貫通する調節ネジ６によってスプリング支持キャップ２内部のスライディングカム３と連結及び固定されるもので、これのために上記スプリング支持キャップ２及びスライディングカム３の中央部にはネジ貫通孔２２及びネジ締結孔３１が各々形成される。
【００１３】
これと共に、上記内部ハウジング５とスプリング支持キャップ２の間の空間部には圧縮スプリング７が具備され、上記圧縮スプリング７の弾性力によって内部ハウジング５が常時弾力支持されるように構成されるもので、調節ネジ６を緩めたり締めたりすることによって圧縮スプリング７の弾性力を調整することができるようになり、上記スプリング支持キャップ２の先端解放部にはラッパ形態の拡管部２１が形成され、上記拡管部２１によって内部ハウジング５の移動範囲を制限するストッパー機能を有するように構成したものである。
【００１４】
一方、上記スライディングカム３の一側面にはカム面３２が形成され、スプリング支持キャップ２の内側面には上記カム面３２に接触するカム駆動ピン２３が形成されることによって、スライディングカム３の回転による移動が可能なもので、上記スライディングカム３の回転は調節ネジ６により連結された内部ハウジング５の回転により成されるもので、スライディングカム３が回転すると、上記スライディングカム３のカム面３２がスプリング支持キャップ２と滑り接触することによって、上記スライディングカム３は前後進するのである。
【００１５】
そして、スライディング接触面、つまりスライディングカム３の外側面とスプリング支持キャップ２の内側面、上記スプリング支持キャップ２の外側面と内部ハウジング５の内側面、内部ハウジング５の外側面と外部ハウジング１の内側面の間に高貼性オイルが投入されることによって、潤滑及びダンピング作用が可能なことは当然である。
【００１６】
ここで、未説明符号５０は、内部ハウジング５を固定するための固定輪である。
【００１７】
次は、上記のように構成された本発明の作用を添付の図面を参照にして詳細に説明する。
【００１８】
まず、図２で、内部ハウジング５は物品の蓋に固定され、外部ハウジング１は物品の本体に固定されることによって、蓋が解放された状態である。
【００１９】
このような状態で物品の蓋を閉じると、内部ハウジング５は蓋と共に回転することになり、上記内部ハウジング５の回転によって内部ハウジング５と調節ネジ６とに連結されたスライディングカム３もスプリング支持キャップ２内部で回転しながらカム接触によって前進することになるのだが、この時圧縮／トーションスプリング４はスライディングカム３の回転及び前進によって圧縮と捻れを同時に受けることになるもので、上記スライディングカム３の作動状態をより具体的に説明すると後述のとおりである。
【００２０】
つまり、図３（ａ）に図示されているように、作動前、つまり物品の蓋が解放された状態で物品の蓋が閉じることによるスライディングカム３の回転が成されると、図３（ｂ）に図示されているように、上記スライディングカム３のカム面３２がスプリング支持キャップ２のカム駆動ピン２３に滑り接触されることによって前進が成され、回転によるカム接触駆動が成されるようになるのである。
【００２１】
このように、物品の蓋が閉まった後、ロッキング手段によって閉状態を維持し、使用するためにそのロッキングを解除することになると、上記のような作動によって圧縮／トーションスプリング４に蓄積された圧縮力及び捻れ力が復元されようとする力によって、内部ハウジング５が元の位置に回転しながら物品の蓋が自動的に開くようになるのだが、この時上記内部ハウジング５を弾力支持する圧縮スプリング７の弾性力がその復元されようとする力を減衰させることによって、物品の蓋が瞬間急激に解放されることを阻止することによって、上記物品の蓋はスムーズな解放が成されるもので、上記圧縮スプリング７と圧縮／トーションスプリング４の復原力が同一な時点で物品の蓋の解放が停止するのである。
【００２２】
【発明の効果】
上述のように、本発明は主に小型携帯物品の蓋の解放がスムーズに自動的に開くようにすることによって、無理な蓋の解放に伴うヒンジ部の破損及び損傷を未然に防止しながら、使用の簡便性を確保できるようにする効果を有することになるのである。
【図面の簡単な説明】
【図１】本発明の全体的な構成を示した分解斜視図である。
【図２】本発明の結合状態を示した断面図である。
【図３】（ａ）、（ｂ）は本発明の作動状態を示したもので、（ａ）は作動前の状態の断面図であり、（ｂ）は作動状態の断面図である。
【符号の説明】
１　外部ハウジング
１０　スプリング固定体
２　スプリング指示キャップ
２１　拡管部
２２　ネジ貫通孔
３　スライディングカム
３１　ネジ締結孔
３２　カム面
４　圧縮／トーションスプリング
５　内部ハウジング
６　調節ネジ
７　圧縮スプリング
【図１】
2004116772.tif 000003
【図２】
2004116772.tif 000004
【図３】
2004116772.tif 000005